(57)【要約】【課題】オンスクリーン情報画像を視認して記録画像の解像度を識別する。【解決手段】ＣＰＵ１６は、解像度変更指令に応答して周波数を変更したタイミング信号を画像信号生成部１４とオンスクリーンディスプレイ信号生成部２８とに送る。画像信号生成部１４は、タイミング信号に基づいて撮影画像データの解像度を変更する。オンスクリーンディスプレイ信号生成部２８もタイミング信号に基づいてオンスクリーン情報画像の解像度を変更する。映像信号生成部２７は、解像度を変更した撮影画像とオンスクリーン情報画像とを表示手段３０に合成して表示する。【選択図】        図１
2004297300.tif 000002
【特許請求の範囲】
【請求項１】
記録用画像データを生成して出力する画像信号生成手段と、オンスクリーン情報画像データを生成して出力するオンスクリーンディスプレイ信号生成手段と、生成した記録用画像データとオンスクリーン情報画像データとを取り込んで合成し、合成した画像データをアナログの画像信号に変換して表示手段に表示する手段とを備えた画像記録装置において、
前記記録用画像データを所望する解像度に変更する操作に応答して解像度変換指令を出す手段と、
周波数の異なる複数のクロック信号のうちのいずれか一つを前記解像度変換指令に基づいて選択し、選択したクロック信号を前記画像信号生成手段とオンスクリーンディスプレイ信号生成手段とにそれぞれ出力する手段とを備え、
前記画像信号生成手段とオンスクリーンディスプレイ信号生成手段とは、前記選択したクロック信号に基づいて各画像データの解像度を各々変更して出力することを特徴する画像記録装置。
【請求項２】
固体撮像素子で被写体画像を撮像して画像信号を出力する手段と、前記画像信号に基づいてデジタルの画像データを生成して出力する画像信号生成手段と、オンスクリーン情報画像データを生成して出力するオンスクリーンディスプレイ信号生成手段と、生成した記録用画像データとオンスクリーン情報画像データとを取り込んで合成し、合成した画像データをアナログの画像信号に変換して表示手段に表示する手段とを備えた電子カメラにおいて、
前記画像データを所望する解像度に変更する操作に応答して解像度変換指令を出す手段と、
周波数の異なる複数のクロック信号のうちのいずれか一つを前記解像度変換指令に基づいて選択し、選択したクロック信号を前記画像信号生成手段とオンスクリーンディスプレイ信号生成手段とにそれぞれ出力する手段とを備え、
前記画像信号生成手段とオンスクリーンディスプレイ信号生成手段とは、前記選択したクロック信号に基づいて画像データの解像度を各々変更して出力することを特徴する電子カメラ。
【発明の詳細な説明】
【０００１】
【発明の属する技術分野】
本発明は、画像データの解像度を変更して記録する画像記録装置及び電子カメラに関し、さらに詳しくは、記録用の画像とともにオンスクリーン情報画像を表示手段に表示する画像記録装置及びこれを用いる電子カメラに関するものである。
【０００２】
【従来の技術】
静止画や動画をデジタルデータとして例えばメモリーカードに記録する電子カメラが知られている。この電子カメラには、固体撮像素子が撮像した画像を表示するＬＣＤなどの表示部が設けられている。この表示部には、オンスクリーンディスプレイ（ＯＳＤ）機能により、例えば「録画中」や「録画停止」、及び「録画時間」などの文字や数字等の情報がオンスクリーン表示される（特許文献１）。
【０００３】
また、電子カメラには、電子ズーム機能を設けたものが知られている。電子ズーム機能は、ズームレンズの光学ズームに加えて、固体撮像素子によって撮像した画像を電子的に拡大する機能である（特許文献２）。
【０００４】
さらに、電子カメラには、撮影モード時における記録画像の解像度を、例えば高解像度であるファインモードや低解像度であるノーマルモードなど予め決められた複数の解像度のうちのいずれか一つを選択することができるものがある。
【０００５】
【特許文献１】
特開平１０−３０４４００号公報
【特許文献２】
特開平１０−３３６４９４号公報
【０００６】
【発明が解決しようとする課題】
ところで、電子カメラの撮像時の画素数は近年飛躍的に向上している。しかし、電子ズーム機能を使うと、画像の一部を電子的に拡大するため、記録する画像の解像度が低下する。特に、表示部としてボディの小型化に伴ってサイズの小さく、表示可能な画素数が撮像時の画素数に比べて少ないものを使用している場合には、表示する画像の画素を水平及び垂直方向に間引きする処理を行っている。これにより、表示部の画像を見ても解像度が低下していることに気づかず、よって解像度の低い画像で記録してしまうおそれがある。
【０００７】
本発明は、上記のような問題点を解消するためになされたもので、表示部に表示される表示画像に基づいて記録しようとする画像の解像度を簡便に視認することができるように工夫した画像記録装置及び電子カメラを提供することを目的とする。
【０００８】
【課題を解決するための手段】
上記目的を達成するために、本発明の画像記録装置では、記録用画像データを生成して出力する画像信号生成手段と、オンスクリーン情報画像データを生成して出力するオンスクリーンディスプレイ信号生成手段と、生成した記録用画像データとオンスクリーン情報画像データとを取り込んで合成し、合成した画像データをアナログの画像信号に変換して表示手段に表示する手段とを有したものであって、前記記録用画像データを所望する解像度に変更する操作に応答して解像度変換指令を出す手段と、周波数の異なる複数のクロック信号のうちのいずれか一つを前記解像度変換指令に基づいて選択し、選択したクロック信号を前記画像信号生成手段とオンスクリーンディスプレイ信号生成手段とにそれぞれ出力する手段とを備え、前記前記画像信号生成手段とオンスクリーンディスプレイ信号生成手段とは、前記選択したクロック信号に基づいて画像データの解像度を各々変更して出力するようにしたものである。
【０００９】
画像信号生成手段とオンスクリーンディスプレイ信号生成手段とにそれぞれ同じクロック信号を入力する手段としては、周波数の異なる複数のクロック信号を生成するクロック生成手段と、複数のクロック信号のうちの解像度変換指令に基づいたクロック信号をセレクトする選択手段とで構成するのが望ましい。
【００１０】
また、電子カメラには、電子ズーム機能や記録画像の解像度を変更する機能などがある。電子カメラに画像記録装置を用いる場合には、これら機能を使用する操作に応答して解像度変換指令を出力するように構成すればよい。
【００１１】
【発明の実施の形態】
図１は、本発明の一実施形態である電子カメラ１０の電気的概略を示している。被写体画像は、撮影レンズ１１によって被写体画像が固体撮像素子（ＣＣＤ）１２の撮像面に結像される。ＣＣＤ１２は、タイミング信号発生器１３からの動作クロックによって被写体画像を走査し、撮像信号を出力する。撮像信号は、画像信号生成部１４に供給され、ここでデジタルのＲ，Ｇ，Ｂからなる画像データに変換される。
【００１２】
タイミング信号発生器１３には、発振器１５から出力されるクロックパルスが入力され、ＣＰＵ１６及び画像信号生成部１４には、前記発信器１５に対してクロックが異なる別の発振器１７から出力されるシステムクロックパルスがそれぞれ入力されている。ＣＣＤ１２と画像信号生成部１４は、タイミング信号発生器１３から出力されるタイミング信号によって同期して駆動される。このタイミング信号は、ドットクロックパルス、水平同期パルス、及び垂直同期パルスからなる。タイミング信号は、ＣＰＵ１６からの解像度変換指令によって適宜変更することができるようにタイミング信号発生器１３が構成されている。
【００１３】
例えば、水平同期信号は、発信器１５のクロックパルスに基づいて分周して複数の周波数のクロックパルス（水平同期パルス）を生成して出力する複数の分周器と、ＣＰＵ１６からの解像度変換指令に応答して複数の水平同期パルスのうちから特定の水平同期パルスをセレクトして出力するクロックセレクトとからなる可変クロック発生器により変更される。垂直同期パルスは、セレクトされた水平同期パルスに基づいて分周して生成される。解像度変換指令に応答して作成する水平同期パルスの周波数は、電子ズームのときに得られる表示位置情報に応じた数だけ用意されている。
【００１４】
ＣＰＵ１６には、設定手段１８、例えばズームボタンなどから撮像画面のうちの一部を拡大表示するための表示位置情報が入力される。この表示位置情報は、解像度変換指令に対応しており、ＣＰＵ１６は、表示位置情報に基づいて解像度変換指令をタイミング信号発生器１３に送る。
【００１５】
画像信号生成部１４は、前処理回路、及び解像度変換回路１９で構成されている。前処理回路は、ＣＣＤから得た画像信号をドットクロックパルス、及び水平・垂直同期パルスに従ってＲ，Ｇ，Ｂの色信号を抽出するとともに、オプティカルブラックイネーブル信号とイネーブル信号を出力するＣＤＳ回路（相関２重サンプリング回路）２０と、Ａ／Ｄ変換器２１と、ＣＣＤのフイルタ配列に従ってＲ，Ｇ，Ｂの３色に分離してＲ，Ｇ，Ｂのデジタル画像データを出力する３線化補間回路２２とからなる。
【００１６】
解像度変換回路１９は、水平解像度変換回路２３、データバッファ２４、及び垂直解像度変換回路２５とで構成されている。水平解像度変換回路２３は、Ｒ、Ｇ、Ｂ各画像データの１水平ライン中の画素データを参照してＣＰＵ１６が指定する所望の画素データ量に拡大縮小変換する。拡大変換のときには、表示位置情報に応じた画像範囲を表示手段に表示するために、ドットクロックパルスのタイミングで入力した画素をカウントアップするドットカウンタの値に表示位置情報に応じてオフセットを加えて所望の位置を拡大表示する。
【００１７】
データバッファ２４は、所望の画像データ量に変換された各１水平ラインのＲ、Ｇ、Ｂ画像データを順次３ライン分一時的に記憶する。
【００１８】
垂直解像度変換回路２５は、複数の水平ライン画像データを参照して水平ライン数をＣＰＵ１６が指定する所望の水平ライン数に拡大縮小変換する。この拡大処理を行う場合には、ＣＣＤ１２から画像データを読み出す水平同期パルスよりもシステムクロックパルスの周波数を早く設定しておく。これにより、水平同期パルスに基づいてＣＣＤ１２及び水平解像度変換回路２３を駆動し、水平同期パルスよりも周波数が早いシステムクロックパルスに基づいて垂直解像度変換回路２５を駆動するため、水平同期パルスとシステムクロックパルスとの周波数の比に対応する倍率までフレームレートを変えずに電子ズームが可能となる。
【００１９】
解像度変換が行われたデジタル画像データは、ＹＣ処理部２６に送られる。ＹＣ処理部２６は、画像データに対してシャープネス補正、ガンマ補正、コントラスト補正、ホワイトバランス補正、輝度信号Ｙとクロマ信号Ｃに変換する等の処理を行う。処理後の画像データは、映像信号生成部２７に送られる。
【００２０】
また、電子カメラ１０には、オンスクリーンディスプレイ（ＯＳＤ）信号生成部２８、表示手段３０、フレームメモリ３１、記録用画像処理部３２、圧縮伸長処理部３３、及び記録再生処理部３４などが設けられている。
【００２１】
ＣＰＵ１６には、読み書き可能な記憶手段であるＲＡＭ３５と、ＣＰＵ１６の動作を司るプログラムや定数を記憶しておくＲＯＭ３６が設けられている。設定手段１８からの各操作情報は、ＣＰＵ１６に伝送されるように構成されている。
【００２２】
ＯＳＤ信号生成部２８には、図示していない表示用ビデオメモリ、それを制御するメモリコントローラ、解像度変換回路を有している。オンスクリーン情報画像は、スルー画像に合成して表示する、例えば「ＲＥＣ」やテープ走行カウントの数字等の文字や数字であり、これらのフォントは予めドット方式のデータ化されてデータＲＯＭ３７に書き込まれている。
【００２３】
ＣＰＵ１６は、設定手段からの操作に応じてデータＲＯＭ３７から読み出し、そのドット方式のデータをＯＳＤ信号生成部２８に供給する。ＯＳＤ信号生成部２８は、ドット方式のデータを受け取り、ドットクロックパルス及び水平・垂直同期パルスに基づいて所定の解像度、色、及び大きさの文字や数字などを構成するドット信号を映像信号生成部２７に出力する。なお、この処理は、表示手段３０に表示されるオンスクリーン情報画像のサイズが解像度に係わらず常に一定になるように行われる。
【００２４】
映像信号生成部２７は、画像データと表示用画像データとを合成して合成した合成画像データをアナログ信号にデコードするものであり、表示手段３０の画素数に応じた記憶容量のビデオメモリと、合成画像データをコンポジットのアナログ信号に変換するＤ／Ａ変換器とを備えている。映像信号生成部２７に記憶される合成画像データは、表示クロックに同期して表示手段３０、例えばＬＣＤに表示される。
【００２５】
データバッファ２４は複数設けている。ＣＰＵ１６は、スルー画表示のときには全てを使用し、また、画像記録指令に応答して一部のバッファを記録用の画像データとして記憶するようにデータバッファ２４を制御してバッファを切り替える。
【００２６】
撮像した画像データは、Ａ／Ｄ変換器２１から記録用画像処理部３２、３線化補間回路２２、及びデータバッファ２４に同時に送られている。記録用の画像データは、データバッファ２４からフレームメモリ３１に送られる。フレームメモリ３１に記憶された記録用の画像データは、記録用画像処理部３２に送られる。
【００２７】
記録用画像処理部３２は、記録する画像データの露出やホワイトバランスを調節するための演算を行った後に記録用の画像データを圧縮伸長処理部３３に送る。
【００２８】
圧縮伸長処理部３３は、記録用の画像データをＪＰＥＧ形式やＴＩＦＦ形式に代表される手法で圧縮したり、圧縮したデータを伸張展開する処理を行った後に記録再生処理部３４に送る。記録再生処理部３４は、圧縮した画像データを記録媒体３８に記録したり読み出したりするためにデータを変換する。このようにしてスルー画表示と同時に記録媒体３８に画像データを記録することができる。なお、記録媒体３８は、メモリーカードやＭＯに代表される着脱可能な記録媒体でもよい。
【００２９】
上記のとおり構成された電子カメラ１０の動作について説明する。図２に示すように、撮影モードでは、被写体像を常時ＬＣＤに表示するスルー画表示を実施する。また、録画中を意味する「ＲＥＣ」やテープカウンタの数値などのオンスクリーン情報画像も表示手段３０に表示されている。
【００３０】
設定手段１８には、ワイドボタン、及びテレボタン２つのズームボタンを有している。これらの操作に応答してズーム制御部４０が撮影レンズ１１の一部又は全部を移動して焦点距離を変更する。テレボタンを操作すると、ズーム制御部４０が撮影レンズ１１の焦点距離をワイド端からテレ端に向けて変更する。
【００３１】
撮影レンズ１１がテレ端に達してからさらにテレボタンが操作されると、電子ズーム機構が作動する。電子ズーム機能は、撮像画面の一部を切り取って拡大するため、光学ズーム時よりも画像の解像度が低くなる。画像を低解像度にするためには、動作クロックの周波数を下げる。よって、撮影レンズ１１がテレ端に到達したことを検知した後のテレボタンの操作に応答してＣＰＵ１６は、水平同期信号の周波数を下げる変更を指示する解像度変換指令をタイミング信号発生器１３に送る。
【００３２】
タイミング信号発生器１３は、各々周波数の異なる複数の水平同期パルスのうちから特定の水平同期パルスをセレクトして出力する。また、セレクトした水平同期信号に基づいて垂直同期信号が生成される。これら水平・垂直同期信号を含むタイミング信号は、それぞれ画像信号生成部１４、及びＯＳＤ信号生成部２８とにそれぞれ送られる。
【００３３】
また、画像信号生成部１４には、電子ズームに応じた表示位置情報がＣＰＵ１６から送られている。解像度変換回路１９は、デジタル画像データの画像の一部をＣＰＵ１６から得られる表示位置情報に基づいて切り取り、切り取った範囲の画像データを水平・垂直同期パルスに基づいて拡大処理する。
【００３４】
一方、ＯＳＤ信号生成部２８では、ＣＰＵ１６から得られるドット方式のデータに基づいて表示用画像データを生成し、その表示用画像データを水平・垂直同期パルスに基づいて拡大処理する。
【００３５】
映像信号生成部２７は、拡大処理が行われた画像データと表示用画像データとを合成してビデオメモリに格納することで解像度変換を行った合成画像データを生成する。
【００３６】
これにより、元のスルー画像とオンスクリーン情報画像とのデータの解像度が解像度変換指令に応じた解像度に変更されて表示手段３０に表示される。これにより、図３に示すように、スルー画像を視認するだけでは分かり難かった画像の荒さを、オンスクリーン情報画像の荒さで容易に判別することができる。なお、オンスクリーン情報画像は、画像の荒さだけが変化しており、フォントサイズは常に一定に表示される。
【００３７】
記録媒体に記録した画像を再生する場合には、記録再生処理部３４が再生用画像データを読み出すときにそのデータから解像度を判別し、その解像度情報をＣＰＵ１６に送る。再生用画像データは、圧縮伸長処理部３３に伝送されて伸長処理が施こされた後に画像信号生成部１４に送られる。
【００３８】
ＣＰＵ１６は、解像度情報に基づいて解像度変換指令をタイミング信号発生器１３に送る。タイミング信号発生器１３は、画像信号生成部１４とＯＳＤ信号生成部２８とに解像度変換指令に対応したタイミング信号をそれぞれ送る。これにより、再生画像と一緒にその画像に対応した解像度のオンスクリーン情報画像が表示される。これによれば、オンスクリーン情報画像の荒さによって記録した画像データの解像度を識別することができる。
【００３９】
また、外部入力端子から入力されるコンポジット信号を表示手段３０に表示する場合もデジタル信号に変換後に外部入力画像データの解像度を調べ、その解像度に対応して外部入力画像とオンスクリーン情報画像とを合成した表示を行えば、オンスクリーン情報画像の荒さによって外部入力画像の解像度を識別することができる。
【００４０】
上記実施形態では、ＯＳＤ信号生成部２８が水平又は垂直同期パルスを受けてドット方式のデータの解像度を変換しているが、これの代わりに、解像度の異なるオンスクリーン情報画像（フォント）のデータを予め複数用意しておき、水平又は垂直同期パルスの変更に応答して複数のフォントデータの中から指令された解像度に対応したもの一つを選択して使用するように構成してもよい。これによれば、予め解像度の異なるフォントが記憶されているから、フォントの表示切り替えを迅速に行うことができる。
【００４１】
この場合、ＣＰＵ１６が解像度変換指令を映像信号生成部２７にも送るように構成する。図４に示すように、映像信号生成部２７は、解像度変換指令に応答してオンスクリーン情報画像の表示手段３０への表示を一時ＯＦＦする。ＯＳＤ信号生成部２８でフォントの切り替えが行われ、表示データの更新が完了した後に、その更新に応答して表示用画像の表示手段３０への表示をＯＮする。これにより、解像度変換がなされたスルー画像にフォント変更を行ったオンスリーン情報画像が表示手段３０に更新して表示される。
【００４２】
なお、フォント切り替えが供給クロック（タイミング信号）の変更に同期して行える映像信号生成部２７を用いる場合には、表示手段３０上でオンスクリーン情報画像の表示が乱れることがないため、表示手段３０への表示をＯＦＦ及びＯＮする手順を省略することができる。
【００４３】
また、図５に示すように、オンスクリーン情報画像のデータをタイミング信号の変更に同期して拡大又は縮小、すなわちリサイズするように構成してもよい。この場合には、高解像度のオンスクリーン情報画像のデータのみを予め記憶しておき、解像度変換指令に応答して高解像度用のデータを間引き処理などのリサイズ処理してＯＳＤ信号生成部２８に送るように構成すればよい。これによれば、上記実施形態に比べて、オンスクリーン情報画像のデータとして高解像度のデータのみを記憶しておけばよいから、容量の少ないデータＲＯＭ３７を用いることができる。
【００４４】
上記実施形態では、解像度変換指令を出力を電子ズームの作動に応答して行っているが、これの代わりに、記録時に画像データの解像度を、例えばファインモード（高画質モード）やノーマルモード（低画質モード）などに変更する操作に応答して行うように構成してもよい。また、本発明は、電子カメラに限らず、電子カメラ付き携帯電話、デジタルビデオカメラ、ビデオレコーダーなどの画像記録装置にも採用することができる。
【００４５】
【発明の効果】
以上詳細に説明したように、本発明によれば、記録対象の画像データの解像度を変更する場合、オンスクリーン情報画像データの解像度も変更されるので表示画面のオンスクリーン情報画像の荒さを視認することで記録用画像データの解像度を確実に識別することができる。また、画像信号生成手段とオンスクリーンディスプレイ信号生成手段とにそれぞれ同じクロック信号を入力しているから、クロック生成手段を共通化することができ、よってローコスト化を達成することができる。
【図面の簡単な説明】
【図１】本発明の電子カメラの電気的構成を示すブロック図である。
【図２】高解像度のときの表示手段の画面を示す説明図である。
【図３】低解像度のときの表示手段の画面を示す説明図である。
【図４】解像度の異なる複数のフォントの中から解像度変換指令に対応した解像度のフォントを選択してオンスクリーン情報画像を作成する他の実施形態を示すフローチャート図である。
【図５】高解像度のフォントを解像度変換指令に対応してリサイズしてオンスクリーン情報画像を作成する別の実施形態を示すフローチャート図である。
【符号の説明】
１１  撮影レンズ
１４  画像信号生成部
１６  ＣＰＵ
１９  解像度変換回路
２７  映像信号生成部
２８  ＯＳＤ信号生成部
【図１】
2004297300.tif 000003
【図２】
2004297300.tif 000004
【図３】
2004297300.tif 000005
【図４】
2004297300.tif 000006
【図５】
2004297300.tif 000007